(57)【要約】  【課題】ＵＳＢコネクタの操作性を向上でき、さらに照明用のスペースを削減できる車載電子装置を提供する。  【解決手段】ＵＳＢコネクタ２１は、車室内を接続口２３が向くように配置されている。ＬＥＤ２７が、ＵＳＢコネクタ２１の内部を照明する。コネクタ内部で部品が中央から偏って配置されているので、コネクタ２１の内部を照明すると、照明の明るさ分布も偏り、ＵＳＢコネクタ２１の位置だけでなく向きも容易に認識可能になる。ＬＥＤ２７はＵＳＢコネクタ２１と同じ基板２５に実装されてよい。また、ＵＳＢコネクタ２１の固定部品が反射部品として機能し、ＬＥＤ２７から、ＵＳＢコネクタ２１の背面穴部へと照明光を導く。【選択図】  図２
2008147077.tif 000002
【特許請求の範囲】
【請求項１】
接続口が車室内を向くように配置されたＵＳＢコネクタと、
前記ＵＳＢコネクタの内部を照明する照明手段と、
を備えたことを特徴とする車載電子装置。
【請求項２】
前記ＵＳＢコネクタは、前記接続口を有するシェルと、前記シェルに組み付けられるボディとを備え、前記ボディは、前記シェルの内部空間で中央から偏った場所に配置されておりコンタクト端子を支持するコンタクト支持板と、前記コンタクト端子が通り抜ける背面穴部とを有し、
前記照明手段は、前記ＵＳＢコネクタの背後から、前記ボディの前記背面穴部を通して、前記シェルの内部空間を照明することを特徴とする請求項１に記載の車載電子装置。
【請求項３】
前記ＵＳＢコネクタが基板に取り付けられており、
前記照明手段は、前記基板上であって前記ＵＳＢコネクタの背後に取り付けられたＬＥＤを含むことを特徴とする請求項２に記載の車載電子装置。
【請求項４】
前記ＬＥＤが発する照明光を前記背面穴部へ向けて案内する照明光案内部品を備えたことを特徴とする請求項３に記載の車載電子装置。
【請求項５】
前記ＵＳＢコネクタを前記基板に固定する固定部品を有し、前記固定部品が前記照明光案内部品としても機能することを特徴とする請求項４に記載の車載電子装置。
【請求項６】
前記固定部品は、前記ＵＳＢコネクタの背後であって前記ＬＥＤの上方に傾斜壁を有し、前記傾斜壁で前記照明光を反射することによって前記照明光案内部品として機能することを特徴とする請求項５に記載の車載電子装置。
【請求項７】
前記固定部品は、前記ＵＳＢコネクタの背後に、前記照明光を透過させて前記ＬＥＤから前記背面穴部へ導く透過誘導部を有し、前記透過誘導部にて前記照明光を誘導することによって前記照明光案内部品として機能することを特徴とする請求項５に記載の車載電子装置。
【請求項８】
前記固定部品は、前記ＬＥＤを覆って前記照明光を遮蔽することを特徴とする請求項５乃至７のいずれかに記載の車載電子装置。
【発明の詳細な説明】
【技術分野】
【０００１】
本発明は、ＵＳＢ（Universal Serial Bus）コネクタを備えた車載電子装置に関し、特に、ＵＳＢコネクタを照明する技術に関する。
【背景技術】
【０００２】
従来、カーオーディオ、ナビゲーション装置、カーエアコン等の車載電子装置には、暗い車室内でも十分に操作が容易であることが求められる。このような操作性の要求に応えるため、従来は操作部材に照明装置が設けられている。
【０００３】
操作部材用の照明装置の典型的な例としては、ボタン等に備えられるインジケータが挙げられる。この種の照明装置は、照明光を透過させる半透明樹脂の導光部品を備えており、導光部品は、機器内のＬＥＤ（Light emitting diode）等から機器表面へと照明光を導き、これにより適度な明るさで操作部材が照明され、操作部材の位置をユーザに容易に認識させることができる。例えば、操作部材がボタンの場合、照明装置がボタン表面またはボタン周囲のパネル表面に設けられている。
【０００４】
ところで、コンピュータなどにおけるＵＳＢ技術の発展に伴い、ＵＳＢコネクタを備えた車載電子装置も提案されている（例えば特許文献１参照）。
【０００５】
このような車載電子装置では、暗い車室内でもＵＳＢ機器をＵＳＢコネクタへ容易に接続可能として、操作性を確保することが求められる。
【特許文献１】特開２００３−２６３２５２号公報
【発明の開示】
【発明が解決しようとする課題】
【０００６】
しかしながら、従来の車載電子装置で使われている照明装置を用いたのでは、ＵＳＢコネクタの位置と向きをユーザが容易に認識できず、そのために操作性が低くなるいう問題がある。この問題について以下にてさらに説明する。
【０００７】
ＵＳＢコネクタの形状は規格で決められており、接続口の形状は単純な長方形である。しかしながら、コネクタ内部の部品配置が対称でないので、任意の向きで相手側コネクタをＵＳＢコネクタに接続できるわけではなく、接続方向が決まっている。したがって、操作性の観点からは、ＵＳＢコネクタの位置だけでなく向きもユーザが一目で認識できることが望まれる。
【０００８】
しかしながら、従来の照明装置を用いた場合、その配置は、導光部品を備えられる場所であるコネクタ周囲に限られる。そのため、照明光によってコネクタ位置を認識することはできたとしても、接続口の向きまでも認識することは容易でない。
【０００９】
このように、従来の照明装置を用いたのでは、暗い車室内でＵＳＢコネクタの位置と向きを一目で認識することが容易でなく、そのために操作性が低くなるという問題がある。
【００１０】
さらに、従来の照明装置を用いた場合、導光部品を備えるためのスペースがコネクタ周辺に必要であり、このようなスペースは極力削減することが、小型化などの観点から求められる。
【００１１】
本発明は、従来の問題を解決するためになされたもので、その目的は、適切な照明を行うことによってＵＳＢコネクタの操作性を向上でき、さらに照明用のスペースを削減できる車載電子装置を提供することにある。
【課題を解決するための手段】
【００１２】
本発明の車載電子装置は、接続口が車室内を向くように配置されたＵＳＢコネクタと、前記ＵＳＢコネクタの内部を照明する照明手段とを備えている。
【００１３】
この構成により、ＵＳＢコネクタの内部が照明される。ＵＳＢコネクタの内部には部品が非対称に配置されているので、コネクタ内部を照明すると、接続口の外側から見たコネクタ内部の明るさの分布も非対称になり、この非対称分布からコネクタの向きを認識できる。このように、本発明は、ＵＳＢコネクタの内部を照明することによって、ＵＳＢコネクタの非対称な内部構造をコネクタ向きの指標として機能させ、これにより、ＵＳＢコネクタの位置だけでなく向きもユーザが容易に認識可能にして、操作性を向上することができる。また、コネクタ内部を照明するので、コネクタ周辺に照明を設けなくてよくなり、照明用のスペースを削減することができる。
【００１４】
本発明の車載電子装置において、前記ＵＳＢコネクタは、前記接続口を有するシェルと、前記シェルに組み付けられるボディとを備え、前記ボディは、前記シェルの内部空間で中央から偏った場所に配置されておりコンタクト端子を支持するコンタクト支持板と、前記コンタクト端子が通り抜ける背面穴部とを有し、前記照明手段は、前記ＵＳＢコネクタの背後から、前記ボディの前記背面穴部を通して、前記シェルの内部空間を照明する。
【００１５】
この構成により、ＵＳＢコネクタのボディ背面に設けられた貫通穴を利用して、コネクタ背後からコネクタ内部を照明するので、簡単な構成でコネクタ内部を照明することができる。
【００１６】
本発明の車載電子装置では、前記ＵＳＢコネクタが基板に取り付けられており、前記照明手段は、前記基板上であって前記ＵＳＢコネクタの背後に取り付けられたＬＥＤを含んでいる。この構成により、ＵＳＢコネクタが搭載される基板に照明のためのＬＥＤも搭載することで、簡単な構成と小さなスペースで本発明の照明装置を実現できる。
【００１７】
本発明の車載電子装置は、前記ＬＥＤが発する照明光を前記背面穴部へ向けて案内する照明光案内部品を備えている。この構成により、ＬＥＤが基板上で上向きに発する照明光を前方のＵＳＢコネクタへ導いてコネクタ内部を照明することができる。照明方向が上向きの一般的なＬＥＤを使用でき、横方向を照明するように構成された特殊なＬＥＤを使う必要が無く、これにより簡単な構成で本発明の照明装置を実現できる。
【００１８】
本発明の車載電子装置は、前記ＵＳＢコネクタを前記基板に固定する固定部品を有し、前記固定部品が前記照明光案内部品としても機能する。この構成により、ＵＳＢコネクタの固定部品が、ＬＥＤからＵＳＢコネクタへ照明光を導く部品としても機能する。したがって、部品数が少ない簡単な構成でもって、照明光をＵＳＢコネクタへ導くことができ、本発明の車載電子装置を実現できる。
【００１９】
本発明の車載電子装置において、前記固定部品は、前記ＵＳＢコネクタの背後であって前記ＬＥＤの上方に傾斜壁を有し、前記傾斜壁で前記照明光を反射することによって前記照明光案内部品として機能するように構成されている。この構成により、固定部品を照明光案内部品として好適に機能させることができる。
【００２０】
本発明の車載電子装置において、前記固定部品は、前記ＵＳＢコネクタの背後に、前記照明光を透過させて前記ＬＥＤから前記背面穴部へ導く透過誘導部を有し、前記透過誘導部にて前記照明光を誘導することによって前記照明光案内部品として機能するように構成されている。この構成により、固定部品を照明光案内部品として好適に機能させることができる。
【００２１】
本発明の車載電子装置において、前記固定部品は、前記ＬＥＤを覆って前記照明光を遮蔽する。この構成により、基板上のＬＥＤがＵＳＢコネクタの固定部品により覆われて、照明光が遮蔽される。ＬＥＤからの光漏れも固定部品によって防ぐことができるので、部品数が少ない簡単な構成でもって本発明の車載電子装置を好適に実現できる。
【発明の効果】
【００２２】
本発明は、ＵＳＢコネクタ内部を照明する照明手段を設けることにより、ＵＳＢコネクタの操作性を向上でき、さらに照明用のスペースを削減できるという効果を有する車載電子装置を提供することができる。
【発明を実施するための最良の形態】
【００２３】
以下、本発明の実施の形態の車載電子装置について、図面を用いて説明する。
【００２４】
本発明の実施の形態に係る車載電子装置を図１〜図３に示す。
【００２５】
図１は、車載電子装置１の外観の一部を示している。本実施の形態の例では、車載電子装置１がカーオーディオである。しかし、本発明はカーオーディオに限定されず、例えば、本発明の車載電子装置はナビゲーション装置またはエアコン装置でもよい。
【００２６】
図１において、車載電子装置１は、シャーシ３と、シャーシ３の前面に取り付けられた操作パネル５とを有する。操作パネル５には、ディスプレイ７、各種ボタン９およびダイアル１１と共に、ＵＳＢコネクタ２１が備えられている。車載電子装置１は、シャーシ３が隠れ、操作パネル５が車室内に露出するようにコンソールボックスに取り付けられている。これにより、ＵＳＢコネクタ２１の接続口２３も車室内を向いている。
【００２７】
図２は、ＵＳＢコネクタ２１を通る断面図である。図２は、ＵＳＢコネクタ２１とそれに関連する主な部品のみを示し、その他の部品は省略されている。また、図３は、図２に示されたＵＳＢコネクタ２１および関連部品の分解斜視図である。
【００２８】
以下の説明では、ＵＳＢコネクタ２１の接続口２３の側を「前」といい、ＵＳＢコネクタ２１の挿入方向に沿った奥の側を「後」という。すなわち、図２の右方向が前であり、左方向が後である。また、図２の配置において、基板２５の面を水平にした場合における上下方向をそれぞれ上および下という。
【００２９】
図２および図３に示されるように、ＵＳＢコネクタ２１は、機器内部に備えられた基板２５に実装されている。基板２５上にあってＵＳＢコネクタ２１の後ろ、すなわち、ＵＳＢコネクタ２１の背後にはさらにＬＥＤ２７が実装されている。ＬＥＤ２７は、ＵＳＢコネクタ２１の後側の面、すなわちＵＳＢコネクタ２１の背面の近傍に配置されており、本発明の照明手段の光源として機能する。また、基板２５には、ＵＳＢコネクタ２１を固定する固定部品２９が取り付けられている。
【００３０】
ＵＳＢコネクタ２１は、シェル３１と、シェル３１に組み付けられるボディ３３と、ボディ３３に支持される複数本のコンタクト端子３５とで構成されている。
【００３１】
シェル３１は金属製の筒型の部品であり、シェル３１の内部がＵＳＢコネクタ２１の内部空間に相当する。シェル３１の前端はＵＳＢコネクタ２１の接続口２３に相当する。シェル３１の断面形状は長方形であり、接続口２３の形状も長方形である。シェル３１の左右の側面からは脚部４１が下方に延びており、脚部４１は基板２５の取付穴４３を通り抜けており、脚部４１によりシェル３１が基板２５に取り付けられている。
【００３２】
ボディ３３は樹脂製の部品であり、背面壁部５１と、背面壁部５１から前方に延びるコンタクト支持板５３とを有する。背面壁部５１は、シェル３１の後端に位置している。コンタクト支持板５３は、シェル３１の内部を前後方向に延びており、複数本のコンタクト端子３５がコンタクト支持板５３に係合し、支持されている。
【００３３】
コンタクト端子３５は、背面壁部５１の背面穴部５５を通り抜けている。背面壁部５１には、４本のコンタクト端子３５に対応して、４つの背面穴部５５が貫通している。コンタクト端子３５は、背面穴部５５の後側で下方に曲がり、基板２５の下まで突き出している。そして、コンタクト端子３５は、基板２５上の配線に電気的に接続されている。
【００３４】
コンタクト支持板５３は、シェル３１に接触しないように配置されており、これにより、コンタクト端子３５もシェル３１に接触せずに支持されている。また、コンタクト支持板５３の配置は、シェル３１の内部空間の中央より上側に偏っている。したがって、ＵＳＢコネクタ２１の内部には部品が非対称に配置されている。
【００３５】
図４は、ＵＳＢコネクタ２１を前方から見た図である。この図は、コンタクト支持板５３の偏った配置と、それによるシェル３１の内部の非対称な部品配置をより明瞭に示している。このように部品配置が非対称なので、接続口２３が単純な長方形であるにも拘わらず、接続方向が決まっており、反対向きで相手方コネクタを挿入しても接続はできない。
【００３６】
次に、固定部品２９について説明する。固定部品２９は板金部品である。固定部品２９は、上壁６１、左右の側壁６３および後方の傾斜壁６５を有している。
【００３７】
左右の側壁６３は、下端に脚部６７を有している。脚部６７が、基板２５の取付穴６９に係合し、これにより固定部品２９が基板２５に取り付けられる。固定部品２９は、シェル３１を覆い、当接するように構成されており、これにより固定部品２９はＵＳＢコネクタ２１を基板２５に固定する。
【００３８】
傾斜壁６５は、後方へ向けて傾斜している。より詳細には、傾斜壁６５は、上壁６１の後端から始まり、後ろ斜め下方に延び、基板２５に達している。傾斜壁６５の前端はＵＳＢコネクタ２１の後端付近であり、傾斜壁６５の後端はＬＥＤ２７より後方である。これにより、傾斜壁６５は、ＵＳＢコネクタ２１の後方であって、ＬＥＤ２７の上方に位置している。
【００３９】
傾斜壁６５は、図２に矢印Ａで示されるように、ＬＥＤ２７が上方向に発した照明光を前方に向けて反射させる。反射した照射光は、前方へ進み、ＵＳＢコネクタ２１の背面壁部５１へ達し、背面壁部５１の背面穴部５５を通り抜けてコネクタ内部へ進む。このようにして、固定部品２９は、本発明の照明光案内部品として機能し、ＬＥＤ２７の発する照明光を背面穴部５５へ向けて案内する。
【００４０】
本実施の形態では、上記のようにＬＥＤが基板上で上向きに発する照明光を前方のＵＳＢコネクタへ導く。このことは、照明方向が上向きの一般的なＬＥＤを使用でき、横方向を照明するように構成された特殊なＬＥＤを使う必要が無いことを意味する。特殊なＬＥＤを使わなくてよいので構成を簡単にすることができる。
【００４１】
また、固定部品２９において、左右の側壁６３は、傾斜壁６５の後端まで達するように後方に延びている。これにより、固定部品２９は、ＵＳＢコネクタ２１だけでなく、その背後のＬＥＤ２７も覆っている。固定部品２９は、ＬＥＤ２７を覆うことにより、照明光を遮蔽し、ＬＥＤ２７から機器内部空間への光漏れを防止している。
【００４２】
以上に、本発明の実施の形態に係る車載電子装置１の構成について説明した。次に、車載電子装置１の組立方法の例を説明する。ここでは、本実施の形態に特徴的な図２の構成に関する組立方法を説明する。
【００４３】
組立方法としては、まず、ＵＳＢコネクタ２１とＬＥＤ２７が基板２５に実装される。この際、予め図２の状態に組み立てられたＵＳＢコネクタ２１が用意される。ＵＳＢコネクタ２１のシェル３１の脚部４１を基板２５の取付穴４３に挿入することにより、ＵＳＢコネクタ２１が基板２５に取り付けられる。また、ＵＳＢコネクタ２１のコンタクト端子３５が基板２５上の配線に接続される。ＬＥＤ２７の端子も基板２５上の配線に接続される。こうしてＵＳＢコネクタ２１とＬＥＤ２７が基板２５に実装される。
【００４４】
次に、固定部品２９が基板２５に取り付けられる。このとき、固定部品２９の脚部６７が基板２５の取付穴６９に挿入され、固定部品２９が後方にスライドされる。これにより、固定部品２９がＵＳＢコネクタ２１を覆い、基板２５に固定する。同時に、ＬＥＤ２７の上方には固定部品２９の傾斜壁６５が位置し、これによりＬＥＤ２７も固定部品２９に覆われる。
【００４５】
次に、車載電子装置１の動作を説明する。ここでも、本実施の形態に特徴的な図２の構成に関する動作を説明する。
【００４６】
ＬＥＤ２７は、夜間走行のために車両のヘッドランプが点灯しているときのみ点灯してもよい。あるいは、ＬＥＤ２７は、車載電子装置１の使用中は常時点灯してもよい。
【００４７】
ＬＥＤ２７が照明光を発すると、上方に照射された照明光が、図２に示す矢印Ａに示すように、固定部品２９の傾斜壁６５で反射する。傾斜壁６５が傾斜しているので、照明光は前方向に反射する。そして、照明光は、ＵＳＢコネクタ２１のボディ３３の背面壁部５１へ達し、背面壁部５１の背面穴部５５を通り抜けてシェル３１の内部空間へ進む。これにより、コネクタ内部が照明される。
【００４８】
図５は、上記のようにして内部が照明されたＵＳＢコネクタ２１を接続口２３の外側から見た図である。図では、照明された領域が斜線で示されている。既に説明したようにコンタクト支持板５３はシェル３１の中央から偏って配置されているので、図５に示すように接続口２３の外から見たときもコンタクト支持板５３が中央から偏っており、より詳細にはコンタクト支持板５３の位置が接続口２３の長手方向の中心線ＣＬに対してずれている。
【００４９】
この非対称な配置により、接続口２３の外から見たコネクタ内部の明るさの分布も非対称になる。具体的には、コンタクト支持板５３が位置する側よりも、コンタクト支持板５３が位置しない側の方が明るくなる。図５では、右半部より左半部が明るくなる（図２の配置を基準に説明すると、コネクタ内部空間の上半部より下半部が明るくなる）。そして、非対称な明るさ分布を見て、ユーザはコネクタの向きを容易に認識できる。
【００５０】
上記の動作では、コネクタ内部が照明されることにより、ＵＳＢコネクタの非対称な内部構造がコネクタの向きの指標として機能している。この機能を活用し、内部構造の非対称性を上手く利用して、ＵＳＢコネクタの位置だけでなく向きもユーザに一目で認識させることを可能としている。
【００５１】
次に、本実施の形態の応用例および変形例について説明する。本実施の形態では、固定部品２９が金属製であった。しかし、固定部品２９は樹脂製であってもよい。照明光を反射できる白色等の樹脂が用いられる。
【００５２】
また、本実施の形態では、固定部品２９が、傾斜壁６５を有し、反射によって照明光を案内した。これに対して、固定部品２９が照明光案内部品としても機能するものとして、固定部品２９が、照明光を透過させることによってＬＥＤ２７から背面穴部５５へ導くものとしてもよい。この場合、固定部品２９は、透明または半透明の樹脂からなる透過誘導部を備える。透過誘導部は、ＬＥＤ２７の近傍から、ＵＳＢコネクタ２１の背面穴部５５の近傍まで達するように設けられる。照明光は、透過誘導部を通ってＬＥＤ２７から背面穴部５５へ導かれ、コネクタ内部へ到達できる。
【００５３】
さらに、固定部品２９が、金属部品と樹脂部品の結合体であってよい。例えば、上板６１および側壁６３が金属製であり、傾斜壁６５が樹脂製でよい。金属部品と樹脂部品が接着等により一体化されて、照明光案内部品としても機能する一つの固定部品として機能する。
【００５４】
また、固定部品２９はさらに他の機能を有してもよい。例えば、固定部品２９の上板６１が、さらに後方に延長される。延長部分は、静電気破壊防止の機能を果たす。この場合に、上述の例で示したように金属製の上板と樹脂製の傾斜壁を結合して一つの固定部品として機能させることが好適である。
【００５５】
その他、ＵＳＢコネクタ２１のボディ３３の樹脂としては、白色、黒色等の樹脂が一般的である。しかし、透明または半透明の樹脂が用いられてもよい。これにより、接続口２３がさらに見やすくなり、コネクタ向きの認識が容易になる。
【００５６】
以上に本発明の実施の形態に係る車載電子装置１について説明した。本実施の形態によれば、ＵＳＢコネクタ２１の内部が照明される。ＵＳＢコネクタ２１の内部には部品が非対称に配置されているので、コネクタ内部を照明すると、接続口２３の外側から見たコネクタ内部の明るさの分布も非対称になり、この非対称分布からコネクタ向きを認識できる。このように、本発明は、ＵＳＢコネクタ２１の内部を照明することによって、ＵＳＢコネクタ２１の非対称な内部構造をコネクタ向きの指標として機能させ、これにより、ＵＳＢコネクタ２１の位置だけでなく向きもユーザが容易に認識可能にして、操作性を向上することができる。また、コネクタ内部を照明するので、コネクタ周辺に照明を設けなくてよくなり、照明用のスペースを削減することができる。
【００５７】
また、本実施の形態によれば、ＵＳＢコネクタ２１は、接続口２３を有するシェル３１と、シェル３１に組み付けられるボディ３３とを備え、ボディ３３は、シェル３１の内部空間で中央から偏った場所に配置されておりコンタクト端子３５を支持するコンタクト支持板５３と、コンタクト端子３５が通り抜ける背面穴部５５とを有する。そして、ＵＳＢコネクタ２１の背後から、ボディ３３の背面穴部５５を通して、シェル３１の内部空間が照明される。このように、ＵＳＢコネクタ２１のボディ背面に設けられた貫通穴を利用して、コネクタ背後からコネクタ内部を照明するので、簡単な構成でコネクタ内部を照明することができる。
【００５８】
また、本実施の形態によれば、ＬＥＤ２７が、ＵＳＢコネクタ２１を搭載する基板２５上であって、ＵＳＢコネクタ２１の背後に取り付けられている。この構成により、基板２３にＵＳＢコネクタ２１に加えてＬＥＤ２７も搭載することで、簡単な構成と小さなスペースで本発明の照明装置を実現できる。
【００５９】
また、本実施の形態によれば、ＬＥＤ２７が発する照明光を背面穴部５５へ向けて案内する照明光案内部品が備えられている。この構成により、ＬＥＤ２７が基板２５上で上向きに発する照明光を前方のＵＳＢコネクタ２１へ導いてコネクタ内部を照明することができる。照明方向が上向きの一般的なＬＥＤを使用でき、横方向を照明するように構成された特殊なＬＥＤを使う必要が無く、これにより簡単な構成で本発明の照明装置を実現できる。
【００６０】
また、本実施の形態によれば、ＵＳＢコネクタ２１を基板２５に固定する固定部品が、照明光案内部品としても機能するように構成されている。これにより、案内用の別部品が不要になり、部品数が少ない簡単な構成でもって、照明光をＵＳＢコネクタ２１へ導くことができ、本発明の車載電子装置を実現できる。
【００６１】
また、本実施の形態によれば、固定部品２９は、ＵＳＢコネクタ２１の背後であってＬＥＤ２７の上方に傾斜壁６５を有し、傾斜壁６５で照明光を反射することによって照明光案内部品として機能する。これにより、固定部品を照明光案内部品として好適に機能させることができる。
【００６２】
また、本実施の形態の応用例によれば、固定部品は、ＵＳＢコネクタの背後に、照明光を透過させてＬＥＤから背面穴部へ導く透過誘導部を有し、透過誘導部にて前記照明光を誘導することによって照明光案内部品として機能するように構成されている。これにより、固定部品を照明光案内部品として好適に機能させることができる。
【００６３】
また、本実施の形態によれば、固定部品２９は、ＬＥＤ２７を覆って照明光を遮蔽するように備えられている。これにより、基板２５上のＬＥＤ２７がＵＳＢコネクタ２１の固定部品２９により覆われて、照明光が遮蔽される。ＬＥＤ２７からの光漏れも固定部品２９によって防ぐことができるので、部品数が少ない簡単な構成でもって本発明の車載電子装置を好適に実現できる。
【００６４】
以上に本発明の好適な実施の形態を説明した。しかし、本発明は上述の実施の形態に限定されず、当業者が本発明の範囲内で上述の実施の形態を変形可能なことはもちろんである。
【産業上の利用可能性】
【００６５】
以上のように、本発明にかかる車載電子装置は、ＵＳＢコネクタの操作性を向上でき、さらに照明用のスペースを削減できるという効果を有し、カーオーディオ等として有用である。
【図面の簡単な説明】
【００６６】
【図１】本発明の実施の形態における車載電子装置の斜視図
【図２】本発明の実施の形態における車載電子装置の断面図
【図３】本発明の実施の形態における車載電子装置の分解斜視図
【図４】ＵＳＢコネクタを接続口の側から見た図
【図５】ＵＳＢコネクタが照明された状態の接続口を示す図
【符号の説明】
【００６７】
１  車載電子装置
５  操作パネル
２１  ＵＳＢコネクタ
２３  接続口
２５  基板
２７  ＬＥＤ
２９  固定部品
３１  シェル
３３  ボディ
３５  コンタクト端子
５１  背面壁部
５３  コンタクト支持板
５５  背面穴部
６１  上壁
６３  側壁
６５  傾斜壁
【図１】
2008147077.tif 000003
【図２】
2008147077.tif 000004
【図３】
2008147077.tif 000005
【図４】
2008147077.tif 000006
【図５】
2008147077.tif 000007